(57)【特許請求の範囲】
【請求項１】
新たに形成された高濃度Ｍｏ（９９Ｍｏ）溶液を、活性炭を内蔵する吸着カラムへ通液して該活性炭に高濃度Ｍｏ（９９Ｍｏ）溶液中の９９ｍＴｃを選択的に吸着させ、９９ｍＴｃを吸着させた後の高濃度Ｍｏ（９９Ｍｏ）を再循環させ、再循環された高濃度Ｍｏ（９９Ｍｏ）溶液について放射平衡状態を形成して９９ｍＴｃを形成して、９９ｍＴｃを含む高濃度Ｍｏ（９９Ｍｏ）溶液を形成し、形成した９９ｍＴｃを含む高濃度Ｍｏ（９９Ｍｏ）溶液を、活性炭を内蔵する吸着カラムへ通液して該活性炭に当該高濃度Ｍｏ（９９Ｍｏ）溶液中の９９ｍＴｃを選択的に吸着することで９９ｍＴｃを回収する医療診断用９９ｍＴｃ回収装置において、
当該医療診断用９９ｍＴｃ回収装置内に、新たに形成された高濃度Ｍｏ（９９Ｍｏ）溶液を内蔵するＭｏ（９９Ｍｏ）溶液内蔵タンク、再循環された高濃度Ｍｏ（９９Ｍｏ）溶液を内蔵して９９ｍＴｃを製造する９９ｍＴｃの製造セルが収納されるものであって、
外部から遮断された外方空間部が内部に形成され溶液回収ポートを備えた外部遮蔽壁と、該外部遮蔽壁内に設けられ前記外方空間部から遮断された内方空間部を形成する内部遮蔽壁と、を備えて、
前記内方空間部内に前記Ｍｏ（９９Ｍｏ）溶液内蔵タンクが収納され、前記外方空間部内に前記活性炭内蔵吸着カラムを備えた９９ｍＴｃの製造セルが収納され、
前記Ｍｏ（９９Ｍｏ）溶液内蔵タンクと前記９９ｍＴｃの製造セルとが接続され、前記活性炭内蔵吸着カラムで吸着され９９ｍＴｃが前記外方空間部に形成された前記溶液回収ポートから外部に取り出されるようにされたこと
を特徴とする医療診断用９９ｍＴｃ回収装置。
【請求項２】
請求項１に記載された医療診断用９９ｍＴｃ回収装置において、前記外方空間部内に９９ｍＴｃの製造セルをメンテナンスするためのメンテナンスエリアが形成されることを特徴とする医療診断用９９ｍＴｃ回収装置。
【発明の詳細な説明】
【技術分野】
【０００１】
本発明は、医療診断用９９ｍＴｃ回収装置に関する。
【背景技術】
【０００２】
高濃度Ｍｏ（９９Ｍｏ）溶液から各種の医療診断用９９ｍＴｃ回収装置が提案される。
【０００３】
特許文献１に記載された医療診断用９９ｍＴｃ回収装置は、本願の発明者等によって提案されたもので、新たに形成された高濃度Ｍｏ（９９Ｍｏ）溶液を、活性炭を内蔵する吸着カラムへ通液して該活性炭に高濃度Ｍｏ（９９Ｍｏ）溶液中の９９ｍＴｃを選択的に吸着させ、９９ｍＴｃを吸着させた後の高濃度Ｍｏ（９９Ｍｏ）を再循環させ、再循環された高濃度Ｍｏ（９９Ｍｏ）溶液について放射平衡状態を形成して９９ｍＴｃを形成して、９９ｍＴｃを含む高濃度Ｍｏ（９９Ｍｏ）溶液を形成し、形成した９９ｍＴｃを含む高濃度Ｍｏ（９９Ｍｏ）溶液を、活性炭を内蔵する吸着カラムへ通液して該活性炭に当該高濃度Ｍｏ（９９Ｍｏ）溶液中の９９ｍＴｃを選択的に吸着することで９９ｍＴｃを回収する医療診断用９９ｍＴｃ回収装置を内容としている。
【先行技術文献】
【特許文献】
【０００４】
【特許文献１】特許第５４２７４８３号公報
【発明の概要】
【発明が解決しようとする課題】
【０００５】
上述したように本願の発明者等によって医療診断用９９ｍＴｃ回収装置が提案された。このような医療診断用９９ｍＴｃ回収装置は、放射性の９９ｍＴｃ溶液を取り扱うものであるから９９ｍＴｃ回収に従事する操業者および環境に影響があってはならない。一方で、操業効率、操業簡便性が考慮されなければならない。
【０００６】
本発明は、かかる点に鑑み放射性の９９ｍＴｃ溶液を取り扱うに際して９９ｍＴｃ回収に従事する操業者および環境に影響がなく、操業効率、操業簡便性が考慮された医療診断用９９ｍＴｃ回収装置を提案することを目的とする。
【課題を解決するための手段】
【０００７】
本発明は、新たに形成された高濃度Ｍｏ（９９Ｍｏ）溶液を、活性炭を内蔵する吸着カラムへ通液して該活性炭に高濃度Ｍｏ（９９Ｍｏ）溶液中の９９ｍＴｃを選択的に吸着させ、９９ｍＴｃを吸着させた後の高濃度Ｍｏ（９９Ｍｏ）を再循環させ、再循環された高濃度Ｍｏ（９９Ｍｏ）溶液について放射平衡状態を形成して９９ｍＴｃを形成して、９９ｍＴｃを含む高濃度Ｍｏ（９９Ｍｏ）溶液を形成し、形成した９９ｍＴｃを含む高濃度Ｍｏ（９９Ｍｏ）溶液を、活性炭を内蔵する吸着カラムへ通液して該活性炭に当該高濃度Ｍｏ（９９Ｍｏ）溶液中の９９ｍＴｃを選択的に吸着することで９９ｍＴｃを回収する医療診断用９９ｍＴｃ回収装置において、
当該医療診断用９９ｍＴｃ回収装置内に、新たに形成された高濃度Ｍｏ（９９Ｍｏ）溶液を内蔵するＭｏ（９９Ｍｏ）溶液内蔵タンク、再循環された高濃度Ｍｏ（９９Ｍｏ）溶液を内蔵して９９ｍＴｃを製造する９９ｍＴｃの製造セルが収納されるものであって、
外部から遮断された外方空間部が内部に形成され溶液回収ポートを備えた外部遮蔽壁と、該外部遮蔽壁内に設けられ前記外方空間部から遮断された内方空間部を形成する内部遮蔽壁と、を備えて、
前記内方空間部内に前記Ｍｏ（９９Ｍｏ）溶液内蔵タンクが収納され、前記外方空間部内に前記活性炭内蔵吸着カラムを備えた９９ｍＴｃの製造セルが収納され、
前記Ｍｏ（９９Ｍｏ）溶液内蔵タンクと前記９９ｍＴｃの製造セルとが接続され、前記活性炭内蔵吸着カラムで吸着された９９ｍＴｃが前記外方空間部に形成された前記溶液回収ポートから外部に取り出されるようにされたこと
を特徴とする医療診断用９９ｍＴｃ回収装置を提供する。
【０００８】
本発明は、上述された医療診断用９９ｍＴｃ回収装置において、前記外方空間部内に９９ｍＴｃの製造セルをメンテナンスするためのメンテナンスエリアが形成されることを特徴とする医療診断用９９ｍＴｃ回収装置を提供する。
【発明の効果】
【０００９】
本発明によれば、内方空間部内にＭｏ（９９Ｍｏ）溶液内蔵タンクが収納され、外方空間部内に活性炭内蔵吸着カラムを備えた９９ｍＴｃの製造セルが収納され、Ｍｏ（９９Ｍｏ）溶液内蔵タンクと９９ｍＴｃの製造セルとが接続され、該活性炭内蔵吸着カラムで回収された９９ｍＴｃが外部に取り出されるようにされた。Ｍｏ（９９Ｍｏ）溶液内蔵タンク内のＭｏ（９９Ｍｏ）溶液は新たに形成されたものであるので比較的に放射能が強く、このため内方空間部内に収納されて十分に放射能の影響が遮断され、９９ｍＴｃを製造セル内の製造９９ｍＴｃは、比較的に放射能が弱く、外方空間部内に収納することで十分に放射能の影響が遮断され、この外方空間部内に、活性炭内蔵吸着カラムに接続されて配置されるものであるので、回収された９９ｍＴｃ溶液を外部への取り出しに便利であり、操業効率、操業簡便性が考慮された医療診断用９９ｍＴｃ回収装置とすることができる。
【図面の簡単な説明】
【００１０】
【図１】本発明の実施例の形態を示す図。
【図２】９９ｍＴｃ抽出製造装置５１の例を示す図。
【図３】９９ｍＴｃ抽出ステップを示す図。
【発明を実施するための形態】
【００１１】
以下、本発明の形態を図面に基づいて説明する。
【実施例】
【００１２】
図１は、本発明の実施例の形態を示す図である。
【００１３】
医療診断用９９ｍＴｃ回収装置１００は、新たに形成された高濃度Ｍｏ（９９Ｍｏ）溶液を、活性炭を内蔵する吸着カラムへ通液して該活性炭に高濃度Ｍｏ（９９Ｍｏ）溶液中の９９ｍＴｃを選択的に吸着させ、９９ｍＴｃを吸着させた後の高濃度Ｍｏ（９９Ｍｏ）を再循環させ、再循環された高濃度Ｍｏ（９９Ｍｏ）溶液について放射平衡状態を形成して９９ｍＴｃを形成して、９９ｍＴｃを含む高濃度Ｍｏ（９９Ｍｏ）溶液を形成し、形成した９９ｍＴｃを含む高濃度Ｍｏ（９９Ｍｏ）溶液を、活性炭を内蔵する吸着カラムへ通液して該活性炭に当該高濃度Ｍｏ（９９Ｍｏ）溶液中の９９ｍＴｃを選択的に吸着することで９９ｍＴｃを回収する装置として構成される。
【００１４】
図１において、医療診断用９９ｍＴｃ回収装置１００は、一体箱状形態に構成され、外側に配置された外側遮蔽壁１および内側に配置された内側遮蔽壁２を備える。外側遮蔽壁１によって、内部にメンテナンスエリア３が形成される。メンテナンスエリア３は、その中央部に設けられた上下室分離用の分離体６によって上下室に分けられる。ここでは、外方遮蔽壁１と内方遮蔽壁２で形成された上方のメンテナンセエリアを上部外側の外方空間部４Ａと呼び、下方のメンテナンスエリアを下部外側の外方空間部４Ｂと呼ぶ。内方遮蔽壁２で形成された内方空間部５の上方の室を下部外側の内方空間部５Ａと呼び、下方の室を下部内側の内方空間部５Ｂと呼ぶ。内側遮蔽壁２の下側には、外部開放の下部室７が形成され、電源制御系８が配置される。
【００１５】
上部外側の外方空間部４Ａおよび下部外側の外方空間部４Ｂには、換気系９が接続され、排気がなされる。
【００１６】
上部外側の外方空間部４Ａおよび下部外側の外方空間部４Ｂには、レール１０が施設される。本例の場合、２組のレール配置としてある。
【００１７】
上部外側の外方空間部４Ａの上方の外側遮蔽壁１には扉１１、上下室分離用の分離体６には外側に扉１２、内側に扉１３が設けられ、下部外側の外方空間部４Ｂの側方の外側遮蔽壁１にはＰｂガラスが配設され、その外側にマニピュレータ１５が敷設される。下部外側空間部４Ｂの下方の外側遮蔽壁１には一対の９９ｍＴｃ溶液回収ポート１６が形成されている。
【００１８】
下部内側の内方空間部５Ｂの内部に、Ｍｏ（９９Ｍｏ）溶液内蔵タンクであるところの調整タンク２１および２つのＭｏ（９９Ｍｏ）溶液タンク２２，２３が設置される。下部外側の外方空間部４Ｂに９９ｍＴｃを製造セル２４，２５が設置される。両者は、接続される。９９ｍＴｃの製造セル２４，２５は、活性炭内蔵吸着カラムを備える。
【００１９】
９９ｍＴｃの製造セル２４，２５には、それぞれ製造された９９ｍＴｃ溶液を排出する一対の排出路２６が設けられ、９９ｍＴｃ溶液回収ポート１６に接続される。
【００２０】
９９ｍＴｃの製造セル２４，２５は、それぞれレール１０上を上部外側の外方空間部４Ａに引き出されて定期面メンテナンス２７による維持管理がなされる。
【００２１】
以上のようにして、内部にメンテナンスエリアを形成するように形成された外部遮蔽壁１と、メンテナンスエリア３内に内方空間部を形成するように、メンテナンスエリア３内に形成された内部遮蔽壁２と、を備えて、メンテナンスエリア３内であって、外部遮蔽壁１と内部遮蔽壁２との間に上部外側の外方空間部４Ａおよび下部外側の外方空間部４Ｂからなる外方空間部４が形成される。
【００２２】
また、内方空間部５内にＭｏ（９９Ｍｏ）溶液内蔵タンクを形成する調整タンク２１、Ｍｏ（９９Ｍｏ）溶液タンク２２，２３が収納され、外方空間部４内に活性炭内蔵吸着カラムを備えた９９ｍＴｃの製造セル２４，２５が収納される。
【００２３】
また、Ｍｏ（９９Ｍｏ）溶液内蔵タンク２２，２３と９９ｍＴｃの製造セル２４、２５とが接続され、該活性炭内蔵吸着カラムで回収された９９ｍＴｃが９９ｍＴｃ溶液回収ポート１６から外部に取り出される。
【００２４】
図２は、内方空間部５内にＭｏ（９９Ｍｏ）溶液内蔵タンクを形成する調整タンク２１、Ｍｏ（９９Ｍｏ）溶液タンク２２，２３、外方空間部４内に活性炭内蔵吸着カラムを備えた９９ｍＴｃの製造セル２４，２５の機能を示す。図１と図２の対比において、調整タンク２１が制御タンク５４に該当し、Ｍｏ（９９Ｍｏ）溶液タンク２２，２３がＭｏ容器５２，５３に該当する。９９ｍＴｃの製造セル２４，２５は、Ｔｃ濃縮精製回収系６６を包含する。以下、図２の構成について説明する。
【００２５】
図２は、９９ｍＴｃ抽出装置２６を構成する９９ｍＴｃ抽出製造装置５１の例を示す図である。図３は、高純度９９ｍＴｃ溶液の抽出による製造ステップをＳ１〜Ｓ７のステップで示す図である。
【００２６】
図２、図３において、９９ｍＴｃ抽出製造装置５１は９９Ｍｏ及び９９ｍＴｃから放出される放射線を遮蔽するホットセル内に設置される。９９ｍＴｃ抽出製造装置５１は、Ｍｏ容器（１）５２、Ｍｏ容器（２）５３および制御タンク５４を備える。複数のＭｏ容器を備えるようにしてもよい。Ｍｏ容器（１）５２およびＭｏ容器（２）５５には中性子照射されて９９Ｍｏが生成し含まれるＭｏＯ３をアルカリ（ＮａＯＨ）溶液で溶解して生成されるＮａ２９９ＭｏＯ４溶液が供給される。すなわち、放射性医薬品原料としての放射性核種９９Ｍｏを含んだＭｏ溶液がＭｏ容器（１）５２およびＭｏ容器（２）５３に供給される。９９ＭｏＯ３がアルカリ溶液で溶解されると、図に示すようにｐＨ中性のＮａ２９９ＭｏＯ４溶液が形成される。
【００２７】
生成に際して、放射性９９Ｍｏを含むＭｏ溶液は例えば２L中に５００gのＭｏを含む高い濃度のＭｏ溶液とされる。以下、この溶液を高濃度Ｍｏ溶液という。ここで、高濃度とは、例えば１回５００Ci程度の必要量の９９ｍＴｃを得るために、前述の２L中に５００gのＭｏを含む高濃度Ｍｏ溶液が必要となるための濃度ということである。
【００２８】
Ｍｏ容器（１）５２およびＭｏ容器（２）５３の底部には、それぞれ三方弁５５、５６を備えた配管５７、５８が設けてあり、Ｍｏ容器（１）５２およびＭｏ容器（２）５３は３方弁５５、５６および配管５７、５８更に他の配管５９、６０を介して制御タンク５４の底部に接続されている。配管５７、５８の終端に３方弁６３が備えられる。制御タンク５４は液面調整機構としての機能を備える。制御タンク５４の底部は、さらに配管６４、配管６４に設けた３方弁６５を介してＴｃ濃縮精製回収系６６の一端（図では上面）に接続される。このＴｃ濃縮精製回収系６６は後述するように、活性炭を内蔵した吸着カラムを備える。
【００２９】
Ｔｃ濃縮精製回収系６６の他端（図では下端）には、配管６７およびこれに設けられた３方弁６８が設けられ、配管５７および配管５８の終端に設けた３方弁６３に接続される。Ｍｏ容器（１）５２およびＭｏ容器（２）５３で、高濃度Ｍｏ溶液中で９９Ｍｏの娘核種である９９ｍＴｃが生成されて、放射性核種９９Ｍｏおよび９９ｍＴｃを含む高濃度Ｍｏ溶液が形成される。９９Ｍｏを含む新しい高濃度Ｍｏ溶液は交互に、例えば隔週毎にいずれかのＭｏ容器（１）５２およびＭｏ容器（２）５３に入れ替え供給される。
【００３０】
弱いエネルギーのγ線（放射線）を放出するテクネチウム９９（９９ｍＴｃ）はＳＰＥＣＴのような医学診断に使用されるが、半減期が６時間であるため１日で１６分の１にまでその放射能量は減少してしまう。これを補うために９９ｍＴｃの親核種である９９Ｍｏを保有して、そのベータ・マイナス崩壊を起こして生まれる９９ｍＴｃを分離・利用する。このように親核種と娘核種の放射平衡関係を利用して娘核種を得る方法がミルキングと呼ばれる。
【００３１】
ここでは、このように親核種と娘核種の放射平衡関係を利用して娘核種を得る方法をミルキングと称する。また、このミルキングを行うことをミルキング処理と称し、娘核種を含む溶液をミルキング溶液と称する。従って、ここで９９Ｍｏを含む高濃度Ｍｏ溶液とは、上述のように、放射平衡関係を利用して必要量の９９ｍＴｃを得るための９９Ｍｏを含む溶液ということである。
【００３２】
高濃度９９Ｍｏ溶液は、配管５７ならびに配管５８、三方弁６３、配管６７を介してＴｃ濃縮精製回収系６６の下部から活性炭カラムを内蔵するＴｃ濃縮精製回収系６６へ導入される。Ｔｃ濃縮精製回収系６６は、吸着カラムを備え、吸着カラムに活性炭が内蔵されているので、この活性炭に必要量の９９ｍＴｃを含む高濃度９９Ｍｏ溶液を通液することによって、９９ｍＴｃを選択的に吸着させることができる。この工程で９９ｍＴｃの精製、濃縮がなされる。ここで、高濃度Ｍｏ溶液中のＭｏ量（ここでは、５００g）に対する９９Ｍｏ量と９９ｍＴｃ量との関係を示せば次のようである。
【００３３】
９９Ｍｏの半減期：６５．９４ｈ，９９ｍＴｃの半減期：６．０１ｈ
５００Ｃｉ９９Ｍｏ量＝１．０４ｍｇ（５００ｇＭｏに対し１／５０万）
５００Ｃｉ９９ｍＴｃ量＝０．０９５ｍｇ（５００ｇＭｏに対し１／５００万）
９９Ｍｏ ５×１０４Ｂｑ以下の場合、５００ｇＭｏに対し６×１０−１５以下
９９ｍＴｃ ６×１０４Ｂｑ以下の場合、５００ｇＭｏに対し６×１０−１６以下
このように、高濃度Ｍｏ溶液に極わずかに９９ｍＴｃが存在する場合にあっても活性炭によって吸着させることができる。
【００３４】
Ｔｃ濃縮精製回収系６６で吸着されない９９Ｍｏを含む大量のＭｏは、三方弁６５および配管６４を介して、制御タンク５４に、更にはＭｏ容器（１）５２あるいはＭｏ容器（２）５３のいずれかに戻される。毎日９９ｍＴｃ吸着工程が実施され、９９ｍＴｃが回収されたＭｏ溶液は元のＭｏ容器（５２あるいは５３のいずれか）に戻される。この工程の後、Ｔｃ濃縮精製回収系６６に吸着回収された９９ｍＴｃは脱着工程へと移行される。
【００３５】
このように、放射性核種９９Ｍｏを含む高濃度Ｍｏ溶液を、中性子照射したＭｏ化合物（ＭｏＯ３）を直接的にアルカリ溶液で溶解することで９９Ｍｏを含む高濃度Ｍｏ溶液を形成し、複数のＭｏ容器に供給し、これらの複数のＭｏ容器に貯められた高濃度９９Ｍｏ溶液を交互に前記活性炭を収納する吸着カラムに通液してＴｃを吸着濃縮し、しかる後に溶出精製回収することを行う。
【００３６】
三方弁６８には配管７０、三方弁７１を介して外部の供給系２２が接続され、この供給系７２からはＴｃ濃縮精製回収系６６（活性炭カラム）に残存する９９Ｍｏの脱着のための洗浄液およびＴｃ溶出液他が供給され、これらの溶液はＴｃ濃縮精製回収系６６に導入される。
【００３７】
まず、脱着工程において９９Ｍｏ脱着剤が供給系７２から導入され、９９Ｍｏが脱着され、この溶液は洗浄廃液８２に導入される。次いで、９９Ｍｏ脱着工程が止められ、Ｔｃ脱着剤が供給系７２から導入され、活性炭に吸着されたＴｃが脱着されるＴｃ脱着工程へと移行する。
【００３８】
Ｔｃ濃縮精製回収系６６は、三方弁６５を介して、配管７３、これに設けた３方弁７４を介して液性調整系７５に接続されている。脱着したＴｃは脱着剤と共に液性調整系７５に導入される。この液性調整系で液性調整用試薬８４が加えられ、液性調整され、更に配管７６を介して２次精製系７７に、更に配管７８を介してＴｃ回収装置７９に接続され、９９ｍＴｃ溶出液として回収される。
【００３９】
このシステムには、図２に示すように、９９Ｍｏ使用後廃液系８０、８１および洗浄廃液系８２が設けられ、各系統は制御系８３によって適宜制御されるようになっている。
【００４０】
以上のようにして、放射性医薬品原料としての放射性核種９９Ｍｏを含む高濃度Ｍｏ溶液を形成し、９９Ｍｏの娘核種である９９ｍＴｃを生成して放射性核種９９Ｍｏおよび９９ｍＴｃを含む高濃度９９Ｍｏ溶液を形成し、
形成した当該高濃度９Ｍｏ溶液を、活性炭を内蔵する吸着カラムへ通液して該活性炭に当該高濃度９９Ｍｏ溶液中の９９ｍＴｃを選択的に吸着させ、９９ｍＴｃを選択的に吸着させた後の高濃度９９Ｍｏを再循環系に導出させ、活性炭に残留する９９ＭｏをＭｏ脱着剤によって脱着除去を行い、活性炭に残留した微量の９９ｍＴｃを活性炭から脱着剤による９９ｍＴｃの脱着処理を行って、９９ｍＴｃを回収し、
回収した９９ｍＴｃ中に僅かに残留する９９Ｍｏをアルミナカラム法によって除去する二次精製を行い、
９９ｍＴｃが吸着処理され、再循環系に導出され、回収された前記高濃度９９Ｍｏ溶液から、
再び放射平衡状態まで９９ｍＴｃを生成して、放射性核種９９Ｍｏおよび９９ｍＴｃを含む高濃度９９Ｍｏ溶液を再び形成し、形成した当該高濃度９９Ｍｏ溶液を、再循環して活性炭を内蔵する吸着カラムへ通液して該活性炭に当該高濃度９９Ｍｏ溶液中の９９ｍＴｃを選択的に吸着させることを特徴とする放射性医薬品原料としての９９ｍＴｃの高濃縮および溶出精製回収方法が形成される。
【００４１】
本実施例によれば、内方空間部内にＭｏ（９９Ｍｏ）溶液内蔵タンクが収納され、外方空間部内に活性炭内蔵吸着カラムを備えた９９ｍＴｃの製造セルが収納され、Ｍｏ（９９Ｍｏ）溶液内蔵タンクと９９ｍＴｃの製造セルとが接続され、該活性炭内蔵吸着カラムで回収された９９ｍＴｃが外部に取り出されるようにされた。Ｍｏ（９９Ｍｏ）溶液内蔵タンク内のＭｏ（９９Ｍｏ）溶液は新たに形成されたものであるので比較的に放射能が強く、このため内方空間部内に収納されて十分に放射能の影響が遮断され、９９ｍＴｃの製造セル内の製造９９ｍＴｃは、比較的に放射能が弱く、外方空間部内に収納することで十分に放射能の影響が遮断され、しかもこの外方空間部内に、活性炭内蔵吸着カラムに接続されて配置されるものであるので９９ｍＴｃの外部への取り出しに便利であり、操業効率、操業簡便性が考慮された医療診断用９９ｍＴｃ回収装置とすることができる。
【符号の説明】
【００４２】
１…外側遮蔽壁、２…内側遮蔽壁、３…メンテナンスエリア、４…外方空間部、４Ａ…上部外側の外方空間部、４Ｂ…下部外側の外方空間部、５…内方空間部、５Ａ…上部内側の内部空間部、５Ｂ…下部内側の内部空間部、６…上下室分離用の分離体、２１…調整タンク、２２，２３…Ｍｏ（９９Ｍｏ）溶液タンク、２４，２５…９９ｍＴｃの製造セル、１００…医療診断用９９ｍＴｃ回収装置。
【図１】
0006355462.tif 000002
【図２】
0006355462.tif 000003
【図３】
0006355462.tif 000004